(57)【要約】【目的】公序良俗に反する画像を比較的簡単に判別する。【構成】クライアント・コンピュータから送信された画像データを受信し，その画像データによって表される画像の肌色の占有率が算出される（ステップ４２）。肌色の占有率が高ければ（ステップ４３でＹＥＳ），露出度の高い人物像が含まれていると判断され，目視確認すべき検索対象画像として画像データベースに格納される（ステップ４５）。肌色の占有率が低ければ（ステップ４３でＮＯ），露出度の高い人物像は含まれていないと判断され，公開される画像として画像データベースに格納される（ステップ４４）。【選択図】　図２
2004054452.tif 000002
【特許請求の範囲】
【請求項１】
一駒の画像に含まれる肌色の割合を算出する算出手段，
上記算出手段によって算出された肌色の割合が所定のしきい値以下であるかどうかを判定する第１の判定手段，および
上記第１の判定手段によって，肌色の割合が所定のしきい値以下であると判定された画像を表す画像データを公開可能画像データとして画像データベースに格納し，肌色の割合が所定のしきい値より多いと判定された画像を表す画像データを検閲対象画像データとして上記画像データベースに格納する第１の画像データベース制御手段，
を備えた画像検閲システム。
【請求項２】
上記第１の画像データベース制御手段の制御のもとに格納されている画像データのうち検索対象として格納されている画像データを読み取る第１の読み取り手段，
上記第１の読み取り手段によって読み取られた画像データによって表される検索対象画像を表示するように表示装置を制御する表示制御手段，
上記表示制御手段にもとづいて表示される検索対象画像についての公開可能または公開不可を入力する入力手段，および
上記入力手段から公開可能と入力されたことにより上記第１の読み取り手段によって読み取られた画像データを公開可能画像データとして上記画像データベースに格納し，上記入力手段から公開不可と入力されたことにより上記第１の読み取り手段によって読み取られた画像データを公開不可画像データとして上記画像データベースに格納する第２の画像データベース制御手段，
をさらに備えた請求項１に記載の画像検閲システム。
【請求項３】
上記画像データベースに格納されている画像データによって表される画像の閲覧要求を受け付ける閲覧受付手段，
上記閲覧受付手段によって閲覧要求された画像を表す画像データが，公開可能画像データとして上記画像データベースに格納されていないかどうかを判定する第２の判定手段，
上記第２の判定手段によって公開可能画像データとして上記画像データベースに格納されていると判定されたことに応じて，上記閲覧要求受付手段によって閲覧要求された画像を表す画像データを上記画像データベースから読み取る第２の読み取り手段，および
上記第２の判定手段によって公開可能画像データとして上記画像データベースに格納されていないと判定されたことに応じて公開不可の旨を報知する報知手段，
をさらに備えた請求項１に記載の画像検閲システム。
【発明の詳細な説明】
【０００１】
【技術分野】
この発明は，画像検閲システムに関する。
【０００２】
【発明の背景】
ディジタル・スチル・カメラ，パーソナル・コンピュータ，インターネットなどの普及に応じて画像サーバには様々な画像を表す画像データがアップロードされている。たとえば，公序良俗に反するような画像を表す画像データも画像サーバにアップロードされていることもある。
【０００３】
公序良俗に反する画像を表す画像データを排除するためには，たとえば，画像サーバのオペレータがすべての画像を一駒一駒確認する。しかしながら，極めて多数の画像のすべてを確認するのは現実的ではない。
【０００４】
画像サーバに格納されている画像データのうち，公序良俗に反する画像データについてスクリーニング・コードを付与しておくこともある。スクリーニング・コードが付与されている画像の閲覧要求があった場合には，閲覧が禁止される。しかしながら，スクリーニング・コードを付与する場合であっても公序良俗に反する画像かどうかをすべて確認する必要がある。
【０００５】
【発明の開示】
この発明は，公開可能な画像を比較的簡単に見つけることを目的とする。
【０００６】
この発明による画像検閲システムは，一駒の画像に含まれる肌色の割合を算出する算出手段，上記算出手段によって算出された肌色の割合が所定のしきい値以下であるかどうかを判定する第１の判定手段，および上記第１の判定手段によって，肌色の割合が所定のしきい値以下であると判定された画像を表す画像データを公開可能画像データとして画像データベースに格納し，肌色の割合が所定のしきい値より多いと判定された画像を表す画像データを検閲対象画像データとして上記画像データベースに格納する第１の画像データベース制御手段を備えていることを特徴とする。
【０００７】
この発明による画像検閲システムに適した方法を提供するようにしてもよい。すなわち，この方法は，一駒の画像に含まれる肌色の割合を算出し，算出された肌色の割合が所定のしきい値以下であるかどうかを判定し，肌色の割合が所定のしきい値以下であると判定された画像を表す画像データを公開可能画像データとして画像データベースに格納し，肌色の割合が所定のしきい値より多いと判定された画像を表す画像データを検閲対象画像データとして上記画像データベースに格納するものである。
【０００８】
この発明によると，一駒の画像に含まれる肌色の割合が算出される。算出された肌色の割合が所定のしきい値より多いと判定されると，その画像は肌の露出の多い人物の像が含まれている可能性が高いと考えられる。このために，その画像を表す画像データは，検索対象（公開不可としてもよい）として画像データベースに格納される。算出された肌色の割合が所定のしきい値より少ないと判定されると，その画像には肌の露出の多い人物の像は含まれていないと考えられる。このためにその画像を表す画像データは公開可能として画像データベースに格納される。
【０００９】
一駒一駒の画像をオペレータが確認することなく，公開可能な画像を見つけることができる。
【００１０】
上記第１の画像データベース制御手段の制御のもとに格納されている画像データのうち検索対象として格納されている画像データを読み取る第１の読み取り手段，上記第１の読み取り手段によって読み取られた画像データによって表される検索対象画像を表示するように表示装置を制御する表示制御手段，上記表示制御手段にもとづいて表示される検索対象画像についての公開可能または公開不可を入力する入力手段，および上記入力手段から公開可能と入力されたことにより上記第１の読み取り手段によって読み取られた画像データを公開可能画像データとして上記画像データベースに格納し，上記入力手段から公開不可と入力されたことにより上記第１の読み取り手段によって読み取られた画像データを公開不可画像データとして上記画像データベースに格納する第２の画像データベース制御手段をさらに備えるようにしてもよい。
【００１１】
検索対象として画像データベースに格納された画像データが読み出される。読み出された画像データによって表される画像が表示装置の表示画面上に表示される。表示された画像がオペレータによって確認される。確認された結果その画像が公開できるようなものであれば，公開可能と入力される。公開可能な画像データとして画像データベースに格納される。公開できないようなものであれば，公開不可と入力される。公開不可の画像データとして画像データベースに格納される。
【００１２】
画像がオペレータによって確認されるので，公開可能な画像を公開不可とされてしまうことを未然に防止できる。
【００１３】
上記画像データベースに格納されている画像データによって表される画像の閲覧要求を受け付ける閲覧受付手段，上記閲覧受付手段によって閲覧要求された画像を表す画像データが，公開可能画像データとして上記画像データベースに格納されていないかどうかを判定する第２の判定手段，上記第２の判定手段によって公開可能画像データとして上記画像データベースに格納されていると判定されたことに応じて，上記閲覧要求受付手段によって閲覧要求された画像を表す画像データを上記画像データベースから読み取る第２の読み取り手段，および上記第２の判定手段によって公開可能画像データとして上記画像データベースに格納されていないと判定されたことに応じて公開不可の旨を報知する報知手段をさらに備えるようにしてもよい。
【００１４】
画像の閲覧要求があった場合には，その画像を表す画像データが，公開可能な画像データとして画像データベースに格納されているかどうかが確認される。公開可能な画像データとして画像データベースに格納されていると，その画像データが画像データベースから読み出される。公開不可の画像データとして画像データベースに格納されていると，公開不可の旨が報知される。公開不可の画像が公開されてしまうことを未然に防止される。
【００１５】
【実施例の説明】
図１は，この発明の実施例を示すもので，主として画像検閲システムの電気的構成を示すブロック図である。
【００１６】
この実施例による画像検閲システム１０は，公序良俗に反するような画像かどうかを判定し，公序良俗に反するような画像であれば公開を禁止するものである。
【００１７】
画像検閲システム１０と第１のクライアント・コンピュータ１および第２のクライアント・コンピュータ２とはそれぞれ，ネットワークを介して通信可能である。
【００１８】
画像検閲システム１０には，多数の駒の画像を表す画像データが格納される画像データベース１３が含まれている。この画像データベース４に格納されている画像データが送信要求に応じて，送信される。送信された画像データが受信されることにより，その受信された画像データによって表される画像が表示される。
【００１９】
第１のクライアント・コンピュータ１によって画像データベース４に格納する画像データが送信される。第１のクライアント・コンピュータ１および第２のクライアント・コンピュータ２には，ＣＰＵ，画像データを記憶するメモリ，入力装置，画像検閲システム１０と通信するための通信インターフェイスなどが含まれていることはいうまでもない。
【００２０】
画像検閲システム１０には，第１のクライアント・コンピュータ１から送信される画像データを受信する画像登録装置１１が含まれている。また，画像検閲システム１０には，公開しても公序良俗に反しない画像であるかどうかを自動的に判定する画像検閲装置１２が含まれている。この画像検閲装置１２において，公開してもよい画像かどうかが判定される。公開してもよい画像であれば，公開画像データとして画像データベース１２に格納される。公開できない画像であれば，オペレータによる確認が必要な画像であるとして，検閲対象画像として画像データベース１３に格納される。
【００２１】
画像データベース１３に格納されている画像データのうち検閲対象画像データが読み出され，検閲確認装置１４に与えられる。検閲確認装置１４には，表示装置１５および入力装置１６が接続されている。検閲対象画像データによって表される画像が表示装置１５の表示画面上に表示される。オペレータが表示された画像を見ることにより，公開可能な画像か不可能な画像かどうかが判断される。公開の可否が入力装置１６から入力される。公開の可否を表すデータが画像データとともに画像データベース１３に格納される。
【００２２】
第２のクライアント・コンピュータ２から画像データの送信要求があると，その要求された画像データが画像データベース１３から読み取られる。読み取られた画像データが公開可能なものであれば，第２のクライアント・コンピュータ２に送信される。読み取られた画像データが公開不可のものであれば，不可を示すデータが第２のクライアント・コンピュータ２に送信される。より詳しくは以下の説明によって明らかとなろう。
【００２３】
図２は，画像検閲処理の処理手順を示すフローチャートであり，上述したように，画像検閲装置１２によって画像データが画像データベース１３に格納されるまでの処理を示している。
【００２４】
画像検閲システム１０の画像データベース１３に格納されるべき画像データが第１のクライアント・コンピュータ１から画像登録装置１１に送信される（ステップ２１）。
【００２５】
第１のクライアント・コンピュータ１から送信された画像データは，画像検閲システム１０を構成する画像登録装置１１において受信される（ステップ３１）。受信された画像データは，画像検閲装置１２によって読み取られる（ステップ４１）。画像検閲装置１２において，受信された画像データによって表される画像の肌色（たとえば，ペール・ピンク，薄いオークル色など）の占有率が算出される（ステップ４２）。肌色の占有率が高ければ（ステップ４３でＹＥＳ），その画像には肌の露出度の高い人物像が含まれていると考えられる。したがって，公開に適さない画像と一般的には考えられる。このために検閲対象となるＮＧ画像として，画像データベース１３に格納される（ステップ４５）。肌白の占有率が低い画像であれば（ステップ４３でＮＯ），肌の露出度の高い人物像などは含まれていないと考えられるので，公開可能なＯＫ画像として画像データベース１３に格納される（ステップ４４）。
【００２６】
図３は，画像データベース１３に格納されるテーブルの一例である。
【００２７】
図３には，４つの画像が示されているが多数の画像が画像データベース１３に格納されるのはいうまでもない。
【００２８】
テーブルには，画像を表す画像データのほかに画像を識別するための画像ＩＤが格納されている。また，上述した画像検閲装置１２における検閲の結果も画像ＩＤおよび画像に対応して格納されている。さらに，テーブルには，後述するように検閲確認装置１４における確認の結果（公開可能な画像か公開不可の画像かを示す）も格納される。
【００２９】
検閲確認装置１４における確認は画像検閲装置１２においてＮＧ画像となったものについて行われる。画像検閲装置１２においてＯＫ画像となったものについては検閲確認装置１４において検閲確認が行われることなく，公開可能画像として公開可否欄にＯＫを示すデータが格納される。検閲確認装置１４における検閲確認が行われていない画像については公開可否欄は空欄とされる。
【００３０】
たとえば，画像ＩＤがＩＤ１の画像は，自動車の画像であるから，肌色の占有率は低い。したがって，画像検閲装置１２における検閲の結果はＯＫとなる。公開可否欄にもＯＫを示すデータが格納される。画像ＩＤがＩＤ２からＩＤ３の画像は人物像であり，すべての画像とも肌色の占有率が高いと判断される。このために，画像検閲装置１２における検閲の結果はＮＧとなる。後述のように，検閲確認装置１４において画像が確認される。
【００３１】
図４は，検閲確認装置における検閲確認の処理手順を示すフローチャートである。
【００３２】
画像データベース１３に格納されている画像データのうち，公開可否欄が空欄の画像データ，すなわち，検閲結果がＮＧの画像データが読み取られ（ステップ５１），検閲確認装置１４に与えられる。検閲確認装置１４において画像データの再生処理が行われ，その画像データによって表される画像が表示装置１５に表示される（ステップ５２）。検閲確認装置１４のオペレータによって，表示された画像が確認される。画像の確認の結果，公開してもよい画像であれば，入力装置１６から公開可能の旨がオペレータによって入力される。画像の確認の結果，公開できない画像であれば，入力装置１６から公開不可の旨がオペレータによって入力される（ステップ５３）。
【００３３】
オペレータによって公開可能と入力されると（ステップ５４でＹＥＳ），公開可能を示すデータとともに画像データが画像データベース１３に格納される（ステップ５５）。オペレータによって公開不可と入力されると（ステップ５４でＮＯ），公開不可能を示すデータとともに画像データが画像データベース１３に格納される（ステップ５６）。
【００３４】
図５は，画像データベース１３に格納されるテーブルの一例である。このテーブルの各行に対応して，画像の説明，送信が可能かどうかも示されている。
【００３５】
画像ＩＤ３の画像は表示装置１６の表示画面に表示された結果，男性の顔のアップの画像であることが分かるから公開可能の旨がオペレータによって入力され，公開可否欄にＯＫを示すデータが格納される。画像ＩＤ４の画像は表示装置１６の表示画面に表示された結果公開が好ましくない画像であることが分かるから，公開不可の旨がオペレータによって入力され，公開可否欄にＮＧを示すデータが格納される。
【００３６】
画像ＩＤ２の画像については検閲確認装置１４において検閲確認がまだ行われていず，公開可否の欄は空欄である。
【００３７】
このように，画像検閲装置１２によって検閲の結果，公開不可と判定された画像であっても目視確認の結果，公開可能な画像については公開されるようになる。画像検閲装置１２における検閲によりＮＧとなった画像について目視確認されるので，確認すべき画像のコマ数は比較的少なくなる。
【００３８】
図６は，画像データの送信処理手順を示すフローチャートである。
【００３９】
閲覧すべき画像の要求を示すデータが第２のクライアント・コンピュータ２から画像検閲システム１０の画像送信装置１７に送信される（ステップ６１）。
【００４０】
第２のクライアント・コンピュータ２から画像データの送信要求が画像送信装置１７において受信されると（ステップ７１），送信要求のあった画像を表す画像データが画像データベース１３において見つけられる（ステップ７２）。見つけられた画像データの公開可否の欄が参照され，公開可能な画像かどうかが確認される（ステップ７３）。公開可否の欄が空欄であれば，検閲結果欄の内容により公開可能かどうかが確認される。
【００４１】
閲覧要求のあった画像が公開可能なものであれば（ステップ７３でＹＥＳ），その画像を表す画像データが画像送信装置１７から第２のクライアント・コンピュータ２に送信される（ステップ７４）。閲覧要求のあった画像が公開不可能なものであれば（ステップ７３でＮＯ），画像データは第２のクライアント・コンピュータ２には送信されずに公開不可を示すデータが送信される（ステップ７５）。
【００４２】
第２のクライアント・コンピュータ２において，画像送信装置１７から送信された画像データまたは公開不可を示すデータが受信される。すると，第２のクライアント・コンピュータ２に接続されている表示装置（図示略）の表示画面上に送信された画像データによって表される画像または公開不可を示すエラー・メッセージが表示される（ステップ６２）。
【図面の簡単な説明】
【図１】画像検閲システムの電気的構成を示すブロック図である。
【図２】画像検閲処理手順を示すフローチャートである。
【図３】画像データベースに格納されるテーブルの一例である。
【図４】検閲確認装置の処理手順を示すフローチャートである。
【図５】画像データベースに格納されるテーブルの一例である。
【図６】画像データの送信処理手順を示すフローチャートである。
【符号の説明】
１，２　クライアント・コンピュータ
１０　画像検閲システム
１１　画像登録装置
１２　画像検閲装置
１３　画像データベース
１４　検閲確認装置
１５　表示装置
１６　入力装置
１７　画像送信装置
【図１】
2004054452.tif 000003
【図２】
2004054452.tif 000004
【図３】
2004054452.tif 000005
【図４】
2004054452.tif 000006
【図５】
2004054452.tif 000007
【図６】
2004054452.tif 000008